(57)【要約】【課題】取扱いが簡単かつ確実であり、さらにマスカラ塊のまつ毛への塗布性の改善を可能とするマスカラアプリケータを提供すること。【解決手段】１つのグリップ（２）と、予備顔料塊を収容するための、前記グリップ（２）から遠ざかるように延びる１つのケース部（３）とを有しており、またその際には前記予備顔料塊が、前記ケース部（３）に対して相対運動可能な、少なくとも貯蔵状態においては固形の顔料塊からなる顔料塊詰替用レフィル（４）として構成される、顔料塊をまつ毛に塗布するためのマスカラアプリケータ（１）において、前記顔料塊の塗布を受けることになるまつ毛が、規定どおりに前記顔料塊詰替用レフィル（４）との直接接触状態に入ることができるように、前記アプリケータ（１）が形成される。【選択図】図１ａ
2011115592.tif 000002
【特許請求の範囲】
【請求項１】
顔料塊をまつ毛に塗布するためのマスカラアプリケータ（１）であって、１つのグリップ（２）と、予備顔料塊を収容するための、前記グリップ（２）から遠ざかるように延びる１つのケース部（３）とを有しており、また前記予備顔料塊が、前記ケース部（３）に対して相対運動可能な、少なくとも貯蔵状態においては固形の顔料塊からなる顔料塊詰替用レフィル（４）として構成されるアプリケータ（１）において、前記顔料塊の塗布を受けることになるまつ毛が、これに顔料塊が塗り付けられるよう、規定どおりに前記顔料塊詰替用レフィル（４）との直接接触状態に入ることができるように、前記アプリケータ（１）が形成されていることを特徴とする、アプリケータ。
【請求項２】
請求項１に記載のアプリケータであって、まつ毛が、顔料塊を塗布する目的のために、前記顔料塊詰替用レフィル（４）の自由端（１６）の外周面（２３）との直接接触状態に入ることができるように、前記顔料塊詰替用レフィル（４）は、少なくともその一部が前記ケース部（３）から外に変位可能であること、またその際には、前記まつ毛との直接接触状態に入ることができる前記面が、好適には−少なくとも局所的に−複数の隆起領域および／または凹部を有するように輪郭加工されていることを特徴とする、アプリケータ。
【請求項３】
請求項２に記載のアプリケータであって、前記顔料塊詰替用レフィルの前記外周面（２３）が、外周を少なくとも部分的に一種のねじのようにスパイラル状に取り巻く複数の溝（１７）、または、理想的には平行に延びる、外周を少なくとも部分的に取り巻く複数の溝（１７）のいずれかとして構成されていることが好ましい、まつ毛を梳く、および／または、一本ずつ分けるための、一体型の造作を有することを特徴とする、アプリケータ。
【請求項４】
請求項３に記載のアプリケータであって、前記各溝（１７）が、溝底に向かって先細りする凹部を有すること、および／または、前記顔料塊詰替用レフィル（４）の前記各隆起領域の断面形状が、半径方向外側に向かって円錐状に先細りすることを特徴とする、アプリケータ。
【請求項５】
請求項１から４のいずれか一項に記載のアプリケータであって、前記顔料塊詰替用レフィル（４）を塗布ゾーンに向かって繰り出すとき、または前記顔料塊詰替用レフィル（４）を前記ケース（３）から押し出すときには、前記顔料塊詰替用レフィルと共に前記ケース（３）に対して相対運動を行うようになっている１つの支持構造（２５）が、前記顔料塊詰替用レフィルに対して配置されることを特徴とする、アプリケータ。
【請求項６】
請求項１から５のいずれか一項に記載のアプリケータであって、アプリケータが、アプリケータ（１）を利用する前に、前記顔料塊詰替用レフィル（４）を部分的に、少なくともその表面を、部分溶融する１つの加熱装置（１０、１２、１３）を有すること、またその際には、好ましくは表面だけが部分溶融されることを特徴とする、アプリケータ。
【請求項７】
請求項１から６のいずれか一項に記載のアプリケータであって、前記加熱装置（１０、１２、１３）が、使用位置においては前記顔料塊詰替用レフィル（４）の外側を囲むように配置されることを特徴とする、アプリケータ。
【請求項８】
請求項１から７のいずれか一項に記載のアプリケータであって、前記顔料塊詰替用レフィル（４）の１つの支持芯棒（１９）が、発熱体（１０）として構成されていることを特徴とする、アプリケータ。
【請求項９】
請求項１から８のいずれか一項に記載のアプリケータであって、前記支持構造（２５）が、前記加熱装置（１０、１２、１３）の部材であることを特徴とする、アプリケータ。
【請求項１０】
請求項１から９のいずれか一項に記載のアプリケータであって、前記顔料塊詰替用レフィル（４）が、交換可能に構成されていることを特徴とする、アプリケータ。
【請求項１１】
請求項１から１０のいずれか一項に記載のアプリケータであって、アプリケータが、前記顔料塊詰替用レフィル（４）の外側輪郭形状の初回成形を可能とするために、または既存の外側輪郭形状の再成形を可能とするために利用される、ビルトインタイプの、好適には前記ケース（３）の１つの構成部品を形成する、１つの成形装置（４０）を有することを特徴とする、アプリケータ。
【請求項１２】
請求項１から１１のいずれか一項に記載のアプリケータであって、前記加熱装置（１０、１２、１３）が、前記ケースの末端（５）領域に配置され、その有効加熱長さ（ｌ）が、前記顔料塊詰替用レフィル（４）の長さより短いことを特徴とする、アプリケータ。
【請求項１３】
請求項１から１２のいずれか一項に記載のアプリケータであって、前記加熱装置（１０、１２、１３）が電気式であり、アプリケータ（１）の１つの保護キャップ（１４）が外されると前記発熱体（１０）を活性化する、１つの活性化センサが備えられることを特徴とする、アプリケータ。
【請求項１４】
少なくとも３０℃まで、好ましくは３７℃までの室温において固形状となっている顔料塊からなる、請求項１〜１２のいずれか一項に記載のアプリケータにおいて使用するための、顔料塊詰替用レフィルにおいて、前記顔料塊詰替用レフィル（４）が、前記顔料塊詰替用レフィルを前記アプリケータの内部に組み込んだ後には、規定どおりに顔料塊の塗布を受けることになるまつ毛との直接接触状態に、この直接接触により前記まつ毛に顔料塊が塗り付けられるように、入ることができるようになっている、１つの領域を有することを特徴とする、顔料塊詰替用レフィル。
【請求項１５】
請求項１４に記載の顔料塊詰替用レフィルであって、前記顔料塊詰替用レフィル（４）が、請求項１〜１３により、そのようなものとしての顔料塊詰替用レフィルに関して記述される特徴の内のいずれか１つまたは複数を有することを特徴とする、顔料塊詰替用レフィル。
【請求項１６】
請求項１〜１３のいずれか一項に記載のアプリケータ（１）を有すること、および／または、請求項１４〜１５のいずれか一項に記載の少なくとも１つの顔料塊詰替用レフィル（４）を有することを特徴とする、マスカラ製品。
【発明の詳細な説明】
【技術分野】
【０００１】
本発明は、請求項１の前段部分に記載のアプリケータ、特にマスカラアプリケータ、ならびにそれ用の、請求項１４の前段部分に記載の顔料塊詰替用レフィル、および前記マスカラアプリケータおよび／または少なくとも１つの顔料塊詰替用レフィルを有するマスカラ製品に関する。
【背景技術】
【０００２】
下記特許文献１により化粧品を塗布するためのアプリケータ装置が知られているが、この化粧品は、特にマスカラであるとされている。
【０００３】
このマスカラは、固形マスカラ塊からなる詰替用レフィルとして貯蔵保持されて、１つのバネにより、アプリケータグリップから、アプリケータヘッド内の加熱装置の内部へと押し付けられている。この加熱装置により前記詰替用レフィルの先端は完全に溶融されるが、これは、それ自体としては、まずは完全に許容できるものである。
【０００４】
こうして生じた融液は、溶融ゾーンの下流に配置される複数の細い流路（前述特許文献１では「通路１７」と呼ばれている）を通って、一連の歯の歯元領域に導かれる。まだ溶融していないマスカラ詰替用レフィルにかかるばね力により、マスカラ融液には押付け力が加わるために、マスカラ融液は連続的に細い流路からそれぞれの歯の歯元領域に流出し、歯を濡らす。
【０００５】
したがって実地においては、これらの細い流路の直径を小さくすることが必要であるが、なぜならば、そうでない場合には、ここでは一種のマスカラコームを形成している、言うまでもなく、そのようなアプリケータにおいてマスカラコームを使用しない場合には見出されることになるマスカラブラシの剛毛に代わるものである、これらの歯の領域に押し出される、マスカラ融液の量が、すぐさま多過ぎることになりかねないからである。
【０００６】
したがって、特許文献１において、実際に問題とされているのは、マスカラ融液がこれらの通路１７を「通り抜けて拡散する」ことについてである。これにより、溶融ゾーンの下流に置かれ、溶解した詰替用レフィルから歯までマスカラ融液を導く通路１７の直径が非常に小さいことを強調している。
【０００７】
このアプリケータ装置では、固形マスカラ塊の不均一な加熱／加温により、アプリケータの外側の濡れ方が、その長さに沿って不均一なものとならざるを得ない点が短所となっている。これにより塗布結果は、時により満足いくものにはならないことになる。
【０００８】
それに加え、マスカラ融液の流れの制御に明らかに寄与する小径を持つ狭い通路は、様々な難点をもたらすことになる−これらは、簡単に詰まってしまうのである。
【０００９】
さらに、マスカラ融液が、塗布中に完全に歯と歯の間の空間から掻き落とされ、それにより出口穴からも掻き落とされることが、必ずしも保証されていない。これによっても、あらためて加熱するとき、またあらためてマスカラ融液を押し出して補充するときには、場合により個々の通路に閉塞を来たしかねず、それによりこの場合にも歯または歯間空間の湿潤結果は不均一なものとなる。
【００１０】
一旦溶融した、アプリケータヘッドの外側領域にあるマスカラ塊が、完全には掻き落とされないことにより、アプリケータヘッドの領域には常にマスカラ塊の残渣がとどまることになるが、それにより場合によっては、例えばカバーキャップが何かの拍子で滑り落ちたりすると、他の物品に望ましくない汚損を来たすことがある。長期間使用しない場合は、それにより他にも、除去するのが非常に困難な、かさぶた状の外被により表面が覆われることを避けられなくなる。
【００１１】
ついでに付言すると、マスカラ融液は、ある一定の温度を下回ると、たちまち、狭い通路からもはや流出できなくなるために、上に述べたアプリケータは、加熱装置の失陥時、例えばバッテリの放電や故障時には、構造上もはや使用できなくなるという短所がある。
【先行技術文献】
【特許文献】
【００１２】
【特許文献１】ドイツ特許出願公開第１０２００８０１６２１３号公報
【発明の概要】
【発明が解決しようとする課題】
【００１３】
したがって、本発明の課題は、取扱いが簡単かつ確実であり、さらにマスカラ塊のまつ毛への塗布性の改善を可能とする、マスカラアプリケータを提供することにある。
【００１４】
望ましくない汚損や外被形成は、優先的に回避されるものとする。
【００１５】
主としてアプリケータは、簡単な方法で、使用者の様々な要求に個人的に、例えば、まつ毛のタイプ／まつ毛の種類、および使用者の希望する、まつ毛への化粧品の塗布の仕方に個人的に、適合できるものとする。
【００１６】
主として、加熱装置が無くとも、あるいは機能していなくても、使用が可能であるものとする。
【課題を解決するための手段】
【００１７】
上記の課題は、請求項１の特徴を有するマスカラアプリケータ、ならびに請求項１３の特徴を有する顔料塊詰替用レフィルによって解決される。有利な実施形態は、各独立請求項にそれぞれ従属する従属請求項に提示されている。
【００１８】
主請求項に準じる本発明にしたがったアプリケータは、１つのグリップと、このグリップから遠ざかるように延びる１つのケース部とを有するが、グリップは場合により、ケースの一体型構成部品であってよい。ケース部は、予備顔料塊を収容するために利用される。
【００１９】
前記予備顔料塊は、ケース部に対して相対運動可能な顔料塊詰替用レフィルとして構成されている。前記顔料塊詰替用レフィルは、全てが、または実質的な部分が、少なくとも貯蔵状態では固形顔料塊からなるが、その詳細は以下ですぐに記述する。
【００２０】
さらに、前記アプリケータは、顔料塊の塗布を受けることになるまつ毛が、規定どおり顔料塊詰替用レフィルとの直接接触状態に入ることができるように、すなわちそれによって顔料塊がまつ毛に塗り付けられるように、形成されている。すなわち本発明にしたがったアプリケータは、まつ毛に塗り付けられるマスカラ塊が、まつ毛の上に移るまでは顔料塊詰替用レフィルの表面にとどまり、それぞれのまつ毛に塗られる過程で、顔料塊詰替用レフィルの表面から直接引き取られることを特色としている。したがって、マスカラ塊を配量して、本来の塗布場所までさらに導くために利用される、何からの、きわめて小さな直径を有する通路は、不要になる。まつ毛によって、まつ毛に塗られる分だけ引き取られるようになっている、顔料塊詰替用レフィルの表面の一部が、ともすれば、まつ毛を案内するための造作によって、覆い隠されてしまうかもしれないという事実は、それぞれの案内部の間に、まつ毛が、一本ずつ分けて梳かれるにもかかわらず、（それぞれの案内部の間の自由空間の中へと差し込まれることにより）塊詰替用レフィルの表面のところまで、直接入り込むことができるような大きさの自由空間が残されていることから、本発明の障害にはならない。
【００２１】
「固形顔料塊」という概念は、少なくとも、顔料塊詰替用レフィルが、最低でも温度３０℃まで、さらに良好には温度３７℃まで、実質的に固有の形状安定性を示し、すなわち重力の影響下で、どうでもよい程度以上には自然に流れ出すことがなく、−少なくとも、この顔料塊詰替用レフィルに対して配置される、あるいはこれと接続される支持要素のおかげで−、販売用、保護用、あるいは輸送用の梱包から取り出した後には、別の補助手段を不要として、アプリケータの中にはめ込んで、その内部で塗布ゾーンに向かってまるごと変位できるようになっている、実質的に自立型の詰替用レフィルを形成することを意味する。そのように収容された顔料塊は、特殊なケースにおいては、その表面上に引き寄せられたまつ毛への塗布を、さらに加熱を行うことなく、既に実現できるようなものであるとよい。
【００２２】
顔料塊詰替用レフィルの融点は、好ましくは４０℃より高く、理想的には５０℃程度である。使用されることが好ましい、適切な組成で作製された顔料塊詰替用レフィルでは、顔料塊が、約２５℃時にはなおも、顔料塊詰替用レフィルをまるごとケースから押し出して、再びケース内に押し戻すことができると共に、かなりの外力−例えば、塗布過程で発生する、多くは、本来のアプリケータがペンシル型の顔料塊により形成されており、それによりいわば、そうでない場合に広く一般に使用されるマスカラブラシに、このペンシル型の顔料塊が取って代わることに起因して生じる、剪断力および曲げ力−に耐えられるような、固形状のものとなっている。
【００２３】
大筋で本発明にしたがった顔料塊詰替用レフィルと同様な顔料塊詰替用レフィルを作製することができる顔料塊の基本処方、およびそのような顔料塊の重要な調整パラメータは、本明細書の初めに引用した特許出願に開示されている。これを前提技術として、当業者は、この分野で広く一般に行われている実験により、格別な困難なく、本発明の個々の要求項目に正確に対応した固形顔料塊詰替用レフィルを作製できる。
【００２４】
本発明にいう顔料塊とは、前述の稠度を有し、さらに、狭義の顔料を含むか否かにかかわらず、まつ毛を染色する、および／またはまつ毛にボリュームや形状を与えることができる塊であると解釈される。好ましい顔料塊は、狭義の顔料を含有する。
【００２５】
本発明にしたがったアプリケータの本質的な利点は、まつ毛に塗るために準備されたマスカラ塊が、実際にも使用されることになるまでは、顔料塊詰替用レフィルのところにとどまっている点にある。したがって上に述べた従来技術と異なり、利用者が、塗る準備をしている最中に邪魔が入り、塗る準備が整ったマスカラ塊をまだまつ毛に塗れずにいるうちに、塗るのをやめた場合も、何の問題も生じない。何故なら、本発明によればマスカラ塊は塗布のため直接顔料塊詰替用レフィルのところで準備され、速やかに使用しないと困難を生じさせる塊詰替用レフィルから離れた場所で準備されるのではないためである。
【００２６】
それに加え、本発明にしたがったアプリケータは、その本来の塗布ゾーンの領域においては、構造がことのほか簡単で、このため相応の作業信頼性を持ち合わせたものとなっており、とりわけ詰まりを起こす目立った傾向はない。
【００２７】
まつ毛が、顔料塊詰替用レフィルと直接接触して塗布されるという事実により、−上述の従来技術と比べて−、使用者が全く異なったやり方でアーチを描くまつ毛にアプリケータをあてがうことができるように、アプリケータを形成する可能性が開ける結果、使用者には、使用に際して高い柔軟性が与えられることになる。
【００２８】
アプリケータは、その顔料塊詰替用レフィルが、少なくとも一部は、ケースから外に変位可能であるように形成されると好適である。前記顔料塊詰替用レフィルは、塗布後に逆方向に再びケース内に変位可能とすると好適である。
【００２９】
またその際には、顔料塊を塗布する目的で、まつ毛が、（少なくとも他にも）顔料塊詰替用レフィルの外周面、すなわち顔料塊詰替用レフィルの縦軸を中心軸とする円筒側面との直接接触状態に入ることができるように、アプリケータが形成されることが好ましい。このとき、まつ毛との直接接触状態に入ることができるこの面は、−少なくとも局所的に−複数の隆起領域および／または凹部を有するように輪郭加工されていることが好ましい。
【００３０】
そのように構成されたアプリケータの顔料塊詰替用レフィルは、塗布の観点からは実質的にマスカラを塗るために世間一般で使用されているマスカラブラシに代わるものであって、したがっていつもながらの方法で取り扱うことができるものである。すなわち、概していえば、前記顔料塊詰替用レフィルは、ごく普通のケースでは、同時にアプリケータあるいはアプリケータ本体として機能するものである。
【００３１】
顔料塊詰替用レフィルの少なくとも一部に構成される上述の輪郭形状により、顔料塊詰替用レフィルが、そのようなものとして、まつ毛を梳く効果および／または一本ずつ分ける効果を実現することが達成されるようにしている。この場合は、顔料塊詰替用レフィルが、一種の円板タイプの棒状アプリケータのように輪郭加工される、すなわち実質的に、ブラシの剛毛領域が、長手方向に前後に並べて配置される複数の完全な円板または円板らしき輪郭形状のものにより取って代わられている、公然周知である様々なアプリケータの内のいずれか１つと同じ輪郭形状に構成されると理想的である。
【００３２】
別の好ましい実施形態の範囲内において、顔料塊詰替用レフィルは、外周を少なくとも部分的に一種のねじのようにスパイラル状に取り巻く複数の溝、あるいは、好適には平行に延びる、外周を少なくとも部分的に取り巻く複数の溝として構成される、理想的には、顔料塊詰替用レフィルの外周部の円筒側面に作り込まれている、まつ毛を梳く、および／または、一本ずつ分けるための、一体型の造作を有している。
【００３３】
これらの溝は、溝底に向かって先細りする凹部、および／または、断面形状が半径方向外側に向かって円錐状に先細りしている隆起領域を有することが好ましい。
【００３４】
本発明の好ましい別の実施形態の範囲内においては、顔料塊詰替用レフィルを塗布ゾーンに向かって繰り出すとき、または顔料塊詰替用レフィルをケースから押し出すときには、顔料塊詰替用レフィルと共にケース（３）に対して相対運動を行うようになっている１つの支持構造が、顔料塊詰替用レフィルに対して配置されるようになっている。
【００３５】
別の実施形態によれば、アプリケータは、アプリケータを使用する前に顔料塊詰替用レフィルを少なくとも所々局所的に溶融状態とする１つの加熱装置を有する。そうすることによって、加熱が行われない場合は、顔料塊詰替用レフィルが固形状であるにもかかわらず、顔料塊詰替用レフィルの顔料塊が、これに直接接触してくるまつ毛を良く濡らすことができる状態に遷移されるゾーンが形成されるようにしている。表面が溶け始めた顔料塊については、これが実質的になおもクリーム状の稠度を有している間に限り、すなわち重力の影響下で、少なくとも（１８０秒であると見積もられる）塗布作業が続いている間に、まだ流れ出したりしていない間に限り、加熱されるようにすると好適である。そうでない場合、表面は、径方向の深さで多くとも、実質的に最大５／１０ｍｍ−より良好には実質的に３／１０ｍｍ以下−のところまで、顔料塊が液化するまで加熱されることになる。
【００３６】
その場合は、表面のみを部分溶融することが好ましく、それにより顔料塊詰替用レフィルは、熱を加えられた領域においても、既に部分溶融した表面の下側には、なおも固形の顔料塊からなる支持作用を果たす芯を保持していることになる。この芯は、単独の支持芯棒であっても、別の材料からなる本来の支持芯棒と協働するものであってもよい。好ましいのは後者である。
【００３７】
前記加熱装置は、使用位置にある顔料塊詰替用レフィルの外側を囲むように配置されることが好ましい。
【００３８】
好ましい多様な実施形態の内の１つの範囲内において、顔料塊詰替用レフィルの支持芯棒が発熱体として構成されること、または支持構造が加熱装置の一部であることが企図されるようにするとよい。後者については、特に支持構造が外側に配置されるか、または顔料塊詰替用レフィルの外表面の下側に、これに比較的密接させて（０．５〜約２ｍｍ）配置されると有利であるが、なぜならばそれにより、塗布過程のために使用に供される表面を狙いどおりに部分溶融できるからである。
【００３９】
顔料塊詰替用レフィルは、交換可能に構成されると好適であり、それにより、顔料塊詰替用レフィルのための高価値の繰出し機構および／または加熱装置を有するアプリケータを、先験的に製品の市場における成功に支障を来たすことなく、実現できるようになる。
【００４０】
アプリケータは、顔料塊詰替用レフィルの外側輪郭形状の初回成形を可能とするために、または、既存の外側輪郭形状の再成形を可能とするために利用される、ビルトインタイプの−最良にはケース（３）の構成部品を形成する−１つの成形装置を有していると好適である。そうすることにより、顔料塊詰替用レフィルは、消費が進んだ段階でも、まつ毛を梳くおよび／または一方ずつ分けるように作用する能力を失わないことになる。
【００４１】
ある好ましいアプリケータでは、前記加熱装置が、ケースの末端領域に配置されている。加熱装置の有効加熱長さは、顔料塊詰替用レフィルの長さより短くなっている。そのような構成方式により、予備の詰替用レフィルの大部分は、長期間「新鮮」に保たれることになる、すなわち使用までに繰り返し不必要な加熱サイクルに曝されることがないようにしている。
【００４２】
前記加熱装置は、電気式であると好適である。アプリケータの保護キャップが外されると発熱体を活性化する、１つの活性化センサが備えられると理想的である。
【００４３】
上述の発明が解決しようとする課題は、それ以外にも、本発明にしたがったアプリケータにおいて使用することが予定される、固形顔料塊からなる顔料塊詰替用レフィルによっても解決されるが、そこではこの顔料塊詰替用レフィルが、顔料塊詰替用レフィルをアプリケータに組み込んだ後には、規定どおりに、顔料塊の塗布を受けることになるまつ毛との直接接触状態に、この直接接触により前記まつ毛に顔料塊が塗り付けられるように、入ることができるようになっている、１つの領域を有している。
【００４４】
本発明にしたがった顔料塊詰替用レフィルは、アプリケータに照準を合わせた請求項により、そのような顔料塊詰替用レフィルに関して記述されている、１つまたは複数の特徴、または、発明の詳細な説明のアプリケータの記述部分との関係で、アプリケータに組み込まれている顔料塊詰替用レフィルに関して開示されている、１つまたは複数の特徴を有するように形成されると好適である。
【発明の効果】
【００４５】
本発明によれば、取扱いが簡単かつ確実であり、さらにマスカラ塊のまつ毛への塗布性の改善を可能とする、マスカラアプリケータを得ることができる。
【図面の簡単な説明】
【００４６】
【図１ａ】マスカラアプリケータとして実施される、本発明にしたがったアプリケータの第１の実施形態を示す図である。
【図１ｂ】マスカラアプリケータとして実施される、本発明にしたがったアプリケータの第１の実施形態を示す図である。
【図１ｃ】マスカラアプリケータとして実施される、本発明にしたがったアプリケータの第１の実施形態を示す図である。
【図１ｄ】マスカラアプリケータとして実施される、本発明にしたがったアプリケータの第１の実施形態を示す図である。
【図２ａ】本発明にしたがったアプリケータにおいて使用するための、本発明にしたがった顔料塊詰替用レフィルの第１の実施形態を示す図である。
【図２ｂ】本発明にしたがったアプリケータにおいて使用するための、本発明にしたがった顔料塊詰替用レフィルの第１の実施形態を示す図である。
【図３ａ】本発明にしたがった顔料塊詰替用レフィルの第２の実施形態を備えた、本発明にしたがったアプリケータの第２の実施形態を示す図である。
【図３ｂ】本発明にしたがった顔料塊詰替用レフィルの第２の実施形態を備えた、本発明にしたがったアプリケータの第２の実施形態を示す図である。
【図４ａ】本発明にしたがった顔料塊詰替用レフィルの第３の実施形態を備えたマスカラアプリケータとして実施される、本発明にしたがったアプリケータの第３の実施形態を示す図である。
【図４ｂ】本発明にしたがった顔料塊詰替用レフィルの第３の実施形態を備えたマスカラアプリケータとして実施される、本発明にしたがったアプリケータの第３の実施形態を示す図である。
【図４ｃ】本発明にしたがった顔料塊詰替用レフィルの第３の実施形態を備えたマスカラアプリケータとして実施される、本発明にしたがったアプリケータの第３の実施形態を示す図である。
【図４ｄ】本発明にしたがった顔料塊詰替用レフィルの第３の実施形態を備えたマスカラアプリケータとして実施される、本発明にしたがったアプリケータの第３の実施形態を示す図である。
【図５ａ】一種の回転機構のような作動機構を有する、本発明にしたがったアプリケータを示す図である。
【図５ｂ】一種の回転機構のような作動機構を有する、本発明にしたがったアプリケータを示す図である。
【図６ａ】一種のプッシュプッシュ機構のような作動機構を有する、本発明にしたがったアプリケータを示す図である。
【図６ｂ】一種のプッシュプッシュ機構のような作動機構を有する、本発明にしたがったアプリケータを示す図である。
【図７ａ】一種の滑動機構のような作動機構を有する、本発明にしたがったアプリケータである。
【図７ｂ】一種の滑動機構のような作動機構を有する、本発明にしたがったアプリケータである。
【図８ａ】顔料塊詰替用レフィル用の成形装置／再成形装置を有する、本発明にしたがった化粧品アプリケータの別の実施形態を示す図である。
【図８ｂ】顔料塊詰替用レフィル用の成形装置／再成形装置を有する、本発明にしたがった化粧品アプリケータの別の実施形態を示す図である。
【図８ｃ】顔料塊詰替用レフィル用の成形装置／再成形装置を有する、本発明にしたがった化粧品アプリケータの別の実施形態を示す図である。
【図９ａ】顔料塊詰替用レフィル用の成形装置の代替構成形態を有する、本発明にしたがった化粧品アプリケータの別の実施形態を示す図である。
【図９ｂ】顔料塊詰替用レフィル用の成形装置の代替構成形態を有する、本発明にしたがった化粧品アプリケータの別の実施形態を示す図である。
【図９ｃ】顔料塊詰替用レフィル用の成形装置の代替構成形態を有する、本発明にしたがった化粧品アプリケータの別の実施形態を示す図である。
【図９ｄ】顔料塊詰替用レフィル用の成形装置の代替構成形態を有する、本発明にしたがった化粧品アプリケータの別の実施形態を示す図である。
【図９ｅ】顔料塊詰替用レフィル用の成形装置の代替構成形態を有する、本発明にしたがった化粧品アプリケータの別の実施形態を示す図である。
【図９ｆ】顔料塊詰替用レフィル用の成形装置の代替構成形態を有する、本発明にしたがった化粧品アプリケータの別の実施形態を示す図である。
【図９ｇ】顔料塊詰替用レフィル用の成形装置の代替構成形態を有する、本発明にしたがった化粧品アプリケータの別の実施形態を示す図である。
【図９ｈ】顔料塊詰替用レフィル用の成形装置の代替構成形態を有する、本発明にしたがった化粧品アプリケータの別の実施形態を示す図である。
【発明を実施するための形態】
【００４７】
本発明にしたがったアプリケータ１（図１ａ〜１ｄ）は、グリップ２、およびグリップ２から長手方向１００に遠ざかるように延びる、顔料塊、例えばマスカラ顔料塊を収容する、ケース部３を有する。図示の例においては、らせん繰出し筒８、および（ここでは外側に外被が施された）発熱体１０が共同して、このケース部３を形成している。顔料塊は、顔料塊詰替用レフィル４として構成され、通常の雰囲気温度では固形の顔料塊を有している。通常の雰囲気温度とは、例えば２０℃〜３５℃の範囲であると解釈できるものである。「固形」とは、この例示的実施形態においては、顔料塊詰替用レフィルが、マスカラアプリケータの通常の使用条件において、固有の形状安定性を示すことにより、好ましくは自立型の、または何らかの支持構造の助けを借りて、十分に頑丈な、一種の替芯のような、固有の形状安定性を示す、細長い形成物が存在している、と解釈できるものである。ケース部３は、グリップ領域２とは逆方向を指す末端５と、グリップ側の端部６とを有す。ケース部の内部には少なくとも部分的に１つの案内筒３ａが配置されて、ケース部３に対して相対回転を行うように支承されている。この案内筒は、そのほぼ全長にわたり１つの案内スリット７を有するが、この案内スリットは、ケースの末端５領域において開口するように構成されている。この案内筒３ａをぐるりと取り囲むように、案内筒３ａと対向した内面に、１つのスパイラル状のらせん繰出し溝９を有している、１つのらせん繰出し筒８が配置されている。ケース部の末端５領域には、特に長手方向１００に、案内筒３ａの軸方向に続いて、１つの発熱体１０が配置されて、顔料塊詰替用レフィル４の外側を加熱長さｌにわたり取り囲んでいる。この加熱長さｌは、顔料塊詰替用レフィル４の全長より短く、マスカラの塗布に必要な通常の長さ部分を加熱できるように選定されるのが得策である。加熱装置の発熱体１０と顔料塊詰替用レフィル４との間に、約０．３ｍｍ〜１ｍｍの範囲の１つの径方向隙間が存在することが好ましい。これにより、顔料塊詰替用レフィル４と発熱体１０との直接接触が避けられるようにしている。それにより好適にも、圧倒的多数のケースにおいては、顔料塊詰替用レフィルが、発熱体によって実際に溶融されるというよりはむしろ「汗をかく」だけであるという事実に顧慮している。
【００４８】
発熱体１０は、電気で作動可能であるよう構成され、１つの制御回路１２、および、１つのエネルギ源１３、例えば１つのボタン電池に電気的に接続されている。前記の発熱体１０、制御回路１２、およびエネルギ源１３は、１つの加熱装置を形成する。制御回路１２、およびここではボタン電池の形態で実施されるエネルギ源１３は、グリップ２の内部に配置されることが好ましい。
【００４９】
顔料塊詰替用レフィル４は、グリップ側で、１つの案内軸受１１に保持されている。この案内軸受１１は、案内筒３ａの内部に軸方向に変位可能であるようにはめ合わされており、また少なくとも１つの係合突起１１ａを有しており、これが、案内筒３ａの案内スリット７に通して差し込まれて、らせん繰出し溝９にはまり込むようになっている。らせん繰出し筒８が、グリップ２に対して、アプリケータ１の縦軸１０１の周りに相対回転可能であるように支承されるのに対し、案内筒３ａは、グリップ２に対して回転を防いで接続されている。１つの保護キャップ１４が備えられているが、これは、らせん繰出し筒８の上からはめられて、そのグリップ側の端部で制御回路１２の１つのスイッチ１５を作動できるようにするとよい。保護キャップ１４が被せられた状態にあるときには、発熱体１０のスイッチが切れているために、保護キャップ１４が被せられた状態にあるときに、エネルギは一切消費されないようになっている。保護キャップ１４を外した後には、制御回路１２によって発熱体１０が活性化され、その結果、顔料塊詰替用レフィル４の全長の少なくとも一部の領域の、少なくとも表面が、−好適には、部分溶融によって、顔料塊詰替用レフィルの輪郭加工部が、そのようなものとして、実質的な平坦化を一切被ることがないような、僅かな程度だけ−溶け始めることになるが、なぜならば、以下にすぐ、より詳細に説明するそれぞれのウェブには、加熱されるにもかかわらず、実質的に昇温されていない顔料塊からなる、支持作用を果たす芯棒領域が保持されることになるからである。
【００５０】
グリップ２をらせん繰出し筒８に対して相対回転させることによって、顔料塊詰替用レフィル４を、図１ａ〜１ｄに示される収容位置から、長手方向１００に沿って、案内筒３ａから発熱体１０をくぐり抜けて繰り出すことが可能となり、これにより、少なくとも表面に部分溶融した顔料塊を有する顔料塊詰替用レフィル４の、規定どおりに塗布対象であるまつ毛との接触状態に入ることができる自由な末端１６が、まつ毛に顔料塊を塗布するために、使用に供されることになる−この時には、まつ毛との接触状態に入るために、この自由端１６の特に外周面を利用できるようになっている。この顔料塊詰替用レフィル４は、それ自体が顔料塊用のアプリケータとして利用されるようになっている。
【００５１】
図１ａ〜１ｄに示される実施形態において、顔料塊詰替用レフィル４には多数の相互に平行な全周にわたり延びる溝１７があり、凹部はそこに形成されるようになっている。これにより、多数のウェブ１８が残されることになるが、これらは、顔料塊詰替用レフィル４に隆起領域を形成すると共に、まつ毛を梳く、あるいは一本ずつ分けるように作用するようになっている。
【００５２】
有利なことにも、顔料塊詰替用レフィル４の輪郭加工部として、複数の環状溝に代わり、またはこれらと共に、詰替用レフィルの外周を部分的にしか取り巻かない複数の刻み目が考えられる。これらの刻み目は、（図示していない）刻み目の底部のところで、直線状に、または顔料塊詰替用レフィル４の中心軸に対して共軸に、延びるとよい。
【００５３】
さらに、顔料塊詰替用レフィル４の凹部と隆起部が、一種のコルゲーションまたはローレット目のように構成されると有利である。顔料塊詰替用レフィル４のこの表面構造、すなわち輪郭加工部に関しては、少なくとも部分的に長く延伸された複数の凹部を設け、顔料塊を塗布するためにまつ毛をこれらの凹部の中で捕捉できるようにすることが非常に好ましい。
【００５４】
さらに顔料塊詰替用レフィルは、ここでは、好ましくは硬質な材料製の１つの支持芯棒１９の形態をとる１つの支持構造を有している。この支持芯棒１９は、例えばプラスチック、金属、またはセラミック製である。
【００５５】
案内軸受１１は、実質的に鍋型に構成されており、そこでは顔料塊詰替用レフィルが、顔料塊詰替用レフィル４のグリップ側の端部に備えられた１つの円筒部２０を、この案内軸受１１の中に入れて、保持されている（これについては図２ａおよび２ｂも参照）。
【００５６】
図１ａ〜１ｄに示される、本発明にしたがったアプリケータ１に入れて使用される、本発明にしたがった顔料塊詰替用レフィル４は、図２ａ、２ｂに詳細に示されている。上述した実施形態と異なり、支持芯棒１９は、図２ｂに示されるように、内部に配置される発熱体１０として構成されて、そのグリップ２と対向した端部に、ケース３内の、あるいはこの具体的な例においては案内筒３ａの内部の、対応する条導体を介して、発熱体１０として構成されたこの支持芯棒１９に電気エネルギを供給できるようにするために利用される、複数の摺動接点２１を有しているとよい。これらの摺動接点２１は、顔料塊詰替用レフィル４、案内軸受１１、および発熱体１０として構成された支持芯棒１９を組み付けた状態においては、案内軸受１１のそれぞれの溝２２の中に位置して、その中に、摺動接点２１は、案内軸受１１の円周方向に対して動かないように、形状同士を係合させて保持されている。
【００５７】
本発明にしたがったアプリケータ１および本発明にしたがった顔料塊詰替用レフィル４の別の実施形態が、図３ａ、３ｂに示されるが、そこではアプリケータ１の基本的な構造が、図１ａ〜１ｄに示される実施形態にしたがったアプリケータ１の構造に類似している。このため、以下では図３ａ、３ｂとの関係で、両実施形態の本質的な相違点のみに立ち入るものとするが、それ以外については、第１の例示的実施形態に関して述べたことが、構造上の相違点がこれに明らかに対立していない限り、この第２の例示的実施形態についても当てはまる。
【００５８】
この顔料塊詰替用レフィル４は、内部支持芯棒１９無しで固形顔料塊から中実に形成され、外側輪郭形状として、一種のねじのようにスパライル状に回旋する１つの溝１７を有している。したがってこの実施形態においても、顔料塊詰替用レフィル４、より正確にはその外周輪郭形状は、多数の隆起領域と凹部を有しており、このためこの顔料塊詰替用レフィル４自体をマスカラアプリケータとして使用できるようになっている。発熱体１０は、この実施形態においても、長手方向に沿って案内筒３ａに続いて遠位に位置しており、顔料塊詰替用レフィル４用の１つの貫通孔を有する。
【００５９】
もちろん、図３ａ、３ｂに示される実施形態においては、前述の実施形態の場合と同様に、顔料塊詰替用レフィル４をほとんどその全長にわたり加熱できるように、発熱体１０をその長さに関して構成することもできる。そのためには、例えば案内筒３ａの、少なくとも顔料塊詰替用レフィル４が案内軸受１１の外部に位置している領域を、長手方向１００に沿って加熱式に構成することが提案される。これにより特に、使用による消耗で既にある程度短くなった顔料塊詰替用レフィル４についても、案内筒３ａから繰り出される前に、必要とされる領域の表面が、最初にこれらの領域を発熱体１０の領域内に変位させる必要なく、溶け始めることを達成することができる。
【００６０】
図４ａ〜４ｄは、模式的かつ簡略化して、本発明にしたがったアプリケータ１の別の実施形態、ならびに本発明にしたがった顔料塊詰替用レフィル４を示す。このアプリケータの構造も、図１ａ〜１ｄに示される実施形態のそれと大筋で合致している。したがって、図４ａ〜４ｄに関しても、両実施形態の本質的な相違点のみに立ち入るものとするが、それ以外については、第１の例示的実施形態に関して述べたことが、構造上の相違点がこれに明らかに対立していない限り、この第３の例示的実施形態についても当てはまる。
【００６１】
ケース３に対して、顔料塊詰替用レフィル４を変位させるための作動機構は、前述の実施形態の機構と同様である。
【００６２】
この、図４ｃ、４ｄに示される顔料塊詰替用レフィル４の実施形態において、顔料塊詰替用レフィル４は固形マスカラ顔料塊からなるレフィル芯２２を有する。このレフィル芯２２は、実質的に円筒形の棒として構成され、実質的に平滑な外周面２３を有する。レフィル芯２２は、そのグリップ側の端部により、案内軸受１１にはめ合わされている。レフィル芯２２の周りには、１つの外部支持構造２５が配置されているが、これはレフィル芯２２と機械的に接続され、これと共に案内筒３ａあるいはケース３から外へ出て、再度その中へ入ることができる。この外部支持構造２５は、例えば１条または多条の弦巻線、またはコイルばねとして構成されるとよいが、その際には隣り合う巻線２６により、それぞれの巻線の間に自由空間が与えられることによって、着色対象であるまつ毛がこれらの巻線２６の間でレフィル芯２２の外面と接触できるようにしている。
【００６３】
特に、２条らせん構造として構成される場合には、らせん構造を形成するそれぞれの線の端部を、支持構造の末端領域において相互に接続し、さらに支持構造のグリップ側の端部領域において制御回路１２と接続するのが得策である。この場合は、支持構造２５を加熱式に、すなわち特に熱線として構成することによって、外側に位置する支持構造２５により、アプリケータ１を使用する前に、レフィル芯２２の少なくとも表面の部分溶融を保証できるようにすると、非常に有利である。
【００６４】
支持構造の別の可能な実施形態は、例えば顔料塊詰替用レフィル４を取り囲む、複数の切り通し部を有する１つのジャケット管であるとよい。これらの切り通し部は、例えばスリットまたは窓状の開口部であるとよい。
【００６５】
図５ａ、５ｂには、顔料塊詰替用レフィル４が引き込まれた状態（図５ａ）、および顔料塊詰替用レフィル４が繰り出された状態（図５ｂ）にある、本発明にしたがったアプリケータ１が示されており、そこでは、顔料塊詰替用レフィル４の出し入れが、前述した例示的実施形態の範囲内で既に記述したように、１つの回転機構を介して行われるようになっている。
【００６６】
図６ａ、６ｂに示される、本発明にしたがったアプリケータ１の別の実施形態は、顔料塊詰替用レフィル４の出し入れ操作を行うために、一種のボールペン機構のようなプッシュプッシュ機構を備えている。このために、グリップ２の底部に１つの操作ボタン３０が備えられており、この操作ボタン３０は、これが矢印３１の向きに押されることによって、顔料塊詰替用レフィル４の繰出しをもたらすようになっている。再度操作ボタン３０を押すと、顔料塊詰替用レフィル４は、１つのバネ機構を介して、再びアプリケータ１内に引き込まれる。
【００６７】
図６ａ、６ｂに示されるプッシュプッシュ機構に代わって、滑動機構を設けるようにしてもよい（図７ａ、７ｂ参照）が、そこではアプリケータ１の外面に、１つのスライドスイッチ３２が備えられ、これが顔料塊詰替用レフィル４と結合されることによって、スライドスイッチ３２を前後にスライドさせることにより、顔料塊詰替用レフィル４を出し入れできるようにしている。
【００６８】
本発明にしたがったアプリケータ１の別の実施形態（図８ａ〜８ｃ）は、顔料塊詰替用レフィル４用の１つの成形装置４０を有する。この成形装置４０は、１つの軸線４１まわりに互いに対して傾動可能な２つの半割りシェル４２、４３を有する。この軸線４１は、アプリケータ１の縦軸１０１と直交することが好ましい。これらの半割りシェル４２、４３は、内側に、顔料塊詰替用レフィル４の外側輪郭形状を持つ１つのネガ型４４を有する。両方の半割りシェル４２、４３を矢印４６の向きに倒して閉じることにより、このネガ型４４を顔料塊詰替用レフィル４の表面に転写することができる。半割りシェル４２、４３を矢印４６とは逆向きに開いた後は、顔料塊詰替用レフィル４が、長手方向１００に自由に運動できるようになり、前述の作動機構によりこれを繰り出すことができる。
【００６９】
このような成形装置４０は、顔料塊詰替用レフィル４の平滑な円筒状外壁へのネガ型の初回型押しのためにも、また、例えば顔料塊を塗布する間に、使用による消耗で外周輪郭がぼやけてしまっている、顔料塊詰替用レフィル４の既存の外周輪郭の再成形にも適する。
【００７０】
賢明なことにも、成形装置４０、すなわちその半割りシェル４２、４３は、加熱式に構成されたものであるとよい。これにより、非常に簡単なやり方で、力をあまりかけずにネガ型４４が顔料塊詰替用レフィル４の表面に首尾よく転写されることになる。さらに、顔料塊詰替用レフィル４に全面またはほぼ全面で接触する、加熱式半割りシェル４２、４３による熱エネルギによって、顔料塊詰替用レフィル４の輪郭加工された外周面の表面が、少ないエネルギ消費量または少ない熱エネルギで、均一に、しかも明確に定義された形で、首尾よく部分溶融されることになる。顔料塊詰替用レフィル４に対する半割りシェル４２、４３の押付けは、例えば半割りシェル４２、４３の外側輪郭形状に適合させた保護キャップ１４の内側輪郭形状によって行われるようにするとよく、それにより、保護キャップ１４を被せる際には、半割りシェル４２、４３が顔料塊詰替用レフィル４に対して押し付けられることで、成形が行われることになる。そのような実施形態では、賢明なことにも、顔料塊詰替用レフィル４、あるいはその、隆起部と凹部を備えた外側輪郭形状の成形が、アプリケータ１の内部に配置されている成形装置４０自体によって行われることになるために、平滑な実質的に円筒状の外周面を有する顔料塊詰替用レフィル４も、使用することができる。
【００７１】
本発明にしたがったアプリケータ１の別の実施形態が、図９ａ〜９ｈに示される。以下の説明から、上記の説明に反することが何一つとして明らかにされない限り、このアプリケータの構造も前述したアプリケータの構造と同様であるので、上記の開示内容はこのアプリケータにも、以下に別途の記述がない限り、当てはまる。このアプリケータの成形装置４０は、一種のグリッドを形成するように構成されており、顔料塊詰替用レフィル４が、このグリッドに対して押し付けられてこれをくぐり抜けることによって、顔料塊詰替用レフィル４に、隆起領域と凹部のある外部輪郭形状が、グリッドにより強制的に付与されるようにしている。
【００７２】
図示の例においては、顔料塊詰替用レフィル４が、その稠度から、アプリケータ独自の（上により詳しく記述した）繰出し装置を用いて加えることができる力を使用しながら、グリッドに対して押し付けられて、これを容易にくぐり抜けることができるように、しかしその後にも、グリッドから再び出る際には、十分な固有安定性を示すことによって、例えば片持ち梁のようにグリッドから外に延びている、しかしながら、重力の影響下でどうでもよい程度以上に変形することがないような、相互に離間した複数のリブ１４１が構成されるように、レイアウトされているが、もっともこの固有安定性については、加熱装置がある場合には、少なくともこの加熱装置に対して、必要とされる領域にある顔料塊の塑性変形を可能とする一方で、これを完全には溶融しないことが、要求されることになる。
【００７３】
その代わりにこれらのリブ１４１が、これらのリブ１４１との接触状態に入るまつ毛に、色／化粧品を−通例はこれらの色／化粧品を、顔料塊詰替用レフィルのリブ状構造から引き取ることによって−塗るために、好適にはコームのようにアプリケータとして使用されることになるような、形状安定性を示すようになっている。
【００７４】
繰出し装置、あるいは顔料塊詰替用レフィル４の稠度は、これらのリブ１４１が、塗布後には再びグリッドをくぐり抜けてアプリケータ１の内部に引き込むことが可能であり、そこで次の塗布のために待機して保持されるように、レイアウトされるのが得策である。
【００７５】
理想的なケースでは、このグリッドを形成している各要素が、多くの場合はこれらの要素自体に発熱体を組み込むことにより−ただし、この方法に限定されない−、加熱される。
【００７６】
成形装置４０は、先端が角張るように斜めにカットされると、非常に効率良く仕事をすることになる。この先端を角張らせた斜めのカットは、図からはっきりと見て取れる。これは、顔料塊詰替用レフィル４が押し付けられてくぐり抜けるようになっているグリッドが、末端に向かうにつれて、通例は三角形のように、ますます細身になることを意味している。このような先端を角張らせた斜めのカットは、塗布の特性にプラスに働き、アプリケータを可変性に富んだものとする。なぜなら、顔料塊詰替用レフィル４は、繰出し長さがまちまちな「完全に繰り出された位置」、またはグリッドの末端から遠位に突出しているのではなく、むしろ両側の領域だけがグリッドからはみ出している、一部だけが繰り出された位置のいずれかの、繰出し長さが様々な「押し付けられて、くぐり抜けた」位置で、これを使用することができるからである。
【００７７】
さらに、この先端を角張らせた斜めのカットは、通常、顔料塊詰替用レフィル４を再び清浄な状態で塗布ケース内に引き込むのを助ける。なぜなら、顔料塊詰替用レフィル４に万一余剰（変形／潰れ）が生じても、これらは斜めにカットされたところで掻き落とされ／剥ぎ取られて、顔料塊詰替用レフィル４が完全に引き込まれ次第、そこから拭き取ることができるからである。
【００７８】
全ての上記の実施形態は、加熱装置１０を有する好ましい実施形態として記述される。しかしながら、加熱装置が無くとも、顔料塊詰替用レフィル４の出し入れは可能であり、またそれにより、多少塗りにくくなるとはいえ、マスカラ塊をまつ毛に塗ることはできるために、加熱装置がない場合、あるいは、例えばバッテリの放電や制御回路の故障のために、備えられている加熱装置１０が失陥した場合も、アプリケータ１は、制約はあるにせよ、依然満足いくように使用できる。
【００７９】
アプリケータ１を使用する間の通常の雰囲気温度において、顔料塊が十分量まつ毛へとこすり取られるように、しかしそれにもかかわらず、顔料塊詰替用レフィル４の十分な固有強度と形状安定性が保証されるように、顔料塊詰替用レフィルの組成を選ぶ場合は、加熱装置を完全に放棄してもよい。
【００８０】
念のためにさらに付言するが、従属請求項については、それぞれの帰属関係により生じる特徴がなくとも、クレームとしてとりあえずは保護が請求されるものである。
【符号の説明】
【００８１】
１  アプリケータ、２  グリップ、３  ケース、３ａ  案内筒、４  顔料塊詰替用レフィル、５  ケースの末端、６  グリップ側端部、７  案内スリット、８  らせん繰出し筒、９  らせん繰出し溝、１０  発熱体、１１  案内軸受、１１ａ  係合突起、１２  制御回路、１３  エネルギ源、１４  保護キャップ、１５  スイッチ、１６  自由な末端、１７  溝、１８  ウェブ、１９  支持芯棒の形態を取る支持構造、２０  円筒部、２１  摺動接点、２２  レフィル芯、２３  外周面、２５  外側支持構造の形態をとる支持構造、２６  巻線、３０  操作ボタン、３１  矢印、３２  スライドスイッチ、４０  成形装置、４１  軸線、４２，４３  半割りシェル、４４  ネガ型、１００  長手方向、１０１  縦軸、１４１  リブ。
【図１ａ】
2011115592.tif 000003
【図１ｂ】
2011115592.tif 000004
【図１ｃ】
2011115592.tif 000005
【図１ｄ】
2011115592.tif 000006
【図２ａ】
2011115592.tif 000007
【図２ｂ】
2011115592.tif 000008
【図３ａ】
2011115592.tif 000009
【図３ｂ】
2011115592.tif 000010
【図４ａ】
2011115592.tif 000011
【図４ｂ】
2011115592.tif 000012
【図４ｃ】
2011115592.tif 000013
【図４ｄ】
2011115592.tif 000014
【図５ａ】
2011115592.tif 000015
【図５ｂ】
2011115592.tif 000016
【図６ａ】
2011115592.tif 000017
【図６ｂ】
2011115592.tif 000018
【図７ａ】
2011115592.tif 000019
【図７ｂ】
2011115592.tif 000020
【図８ａ】
2011115592.tif 000021
【図８ｂ】
2011115592.tif 000022
【図８ｃ】
2011115592.tif 000023
【図９ａ】
2011115592.tif 000024
【図９ｂ】
2011115592.tif 000025
【図９ｃ】
2011115592.tif 000026
【図９ｄ】
2011115592.tif 000027
【図９ｅ】
2011115592.tif 000028
【図９ｆ】
2011115592.tif 000029
【図９ｇ】
2011115592.tif 000030
【図９ｈ】
2011115592.tif 000031